(57)【要約】【課題】人体の手首などの部位にクリップ止めする感覚でワンタッチで装着できる腕用装身具を提供する。【解決手段】腕用装身具１は、人体の腕部に対して着脱が可能なものであり、腕部の外側の面に沿わせて位置させる装飾部２と、装飾部２の一方の端部より腕部の内側へ回り込ませて腕部の内側の面に沿わせるクリップ部３とが、線状または帯状の可撓性のある素材により一体に形成されている。装飾部２の先端部２ａとクリップ部３の先端部３ａとの間には腕部に対する挿脱が可能な開口部４が設けられている。クリップ部３は全長にわたって外側へ膨らむ円弧に形成されるとともに、クリップ部３の先端部３ａはクリップ部３の前記円弧と逆方向の円弧をなす外開き状に形成されている。【選択図】図１
2015198690.tif 000002
【特許請求の範囲】
【請求項１】
人体の腕部に対して着脱が可能な腕用装身具であって、腕部の外側の面に沿わせて位置させる装飾部と、前記装飾部の一方の端部より腕部の内側へ回り込ませて腕部の内側の面に沿わせるクリップ部とが、線状または帯状の可撓性のある素材により一体に形成され、前記装飾部の他方の端部とクリップ部の先端部との間には腕部に対する挿脱が可能な開口部が備えられており、前記クリップ部は全長にわたって外側へ膨らむ円弧に形成されるとともに、クリップ部の先端部はクリップ部の前記円弧と逆方向の円弧によって外開き状に形成されて成る腕用装身具。
【請求項２】
前記開口部は、その開口幅が装飾部とクリップ部との対向距離の最大値より小さな値である請求項１に記載された腕用装身具。
【請求項３】
前記装飾部は、前記クリップ部と線対称をなす円弧に形成され、前記装飾部とクリップ部との対向距離の最大値は、その対向距離と直交する方向の距離の最大値より小さな値である請求項１または２に記載された腕用装身具。
【請求項４】
前記装飾部は、外側に装飾体が取り付けられている請求項１〜３のいずれかに記載された腕用装身具。
【発明の詳細な説明】
【技術分野】
【０００１】
この発明は、人体の腕部に対して着脱が可能な腕用装身具に関するもので、この発明は特に、手首などの部位にクリップ止めする感覚でワンタッチで装着できる腕用装身具に関する。
【背景技術】
【０００２】
従来、腕用装身具としてブレスレットがある。ブレスレットは腕輪とも呼ばれ、種々の形態のものがあるが、典型的には、手首の太さより大径のリング形状もしくはＣ型形状に形成されている。手首に装着した状態では、ブレスレットは手首との間に十分な隙間があり、手首の周りを自由に回るようになっている。
【０００３】
図７は、Ｃ型形状のブレスレット９の一例であり、純チタン、チタン合金などの軽量な線材により略楕円形状に形成された環状部９０と、環状部９０の両端部に取り付けられた永久磁石よりなる球状体９１，９１とで構成されている。環状部９０は球状体９１，９１間の開口部９２が拡縮できるように変形可能であり、手首１０に装着するために環状部９０に拡開による変形を加えても、弾性により元の形状に復元する（例えば、特許文献１参照）。
【０００４】
人体の手首１０は、長さ方向と直交する方向の断面形状（図中、一点鎖線で示す）が楕円ないしは長円形状である。そのような形態の手首１０にブレスレット９を装着するには、図８に示すように、手首１０の側面１０ｃに開口部９２を向け、その開口部９２を拡開しつつ開口部９２へ手首１０を差し込んだ後、環状部９０を９０度回して図７に示すような抜止め状態に嵌合する。また、ブレスレット１を手首１０より外すときは、上記した手順と逆の手順となり、まず、環状部９０を９０度回して抜止め状態を脱した後、開口部９２を拡開しつつ開口部９２から手首１０を抜き出す。なお、図示例の各球状体９１は永久磁石により構成されているので、装着時、永久磁石による磁力線が人体に作用して磁気治療効果が得られる。
【先行技術文献】
【特許文献】
【０００５】
【特許文献１】実用新案登録第３０１８３１０号  登録実用新案公報
【発明の概要】
【発明が解決しようとする課題】
【０００６】
上記のブレスレット９は、手首１０の断面形状の楕円とブレスレット９の環状部９０の形状の楕円との長軸、短軸の向きを一致させることで、ブレスレット９が手首１０の外周に抜け止め状態で嵌合するので、ブレスレット９を手首１０へ装着するに際して、抜け止め状態で嵌合させるために環状部９０を回す操作が必要である。一方、ブレスレット９を手首１０から外す際には、抜け止め状態の嵌合を脱するために環状部９０を回す操作が必要である。このため、手首１０に対するブレスレット９の着脱がワンタッチで行えず、簡便性を欠くという課題がある。
【０００７】
この発明は、上記の問題に着目してなされたもので、人体の手首などの部位にクリップ止めする感覚でワンタッチで装着できる腕用装身具を提供することを目的とする。
【課題を解決するための手段】
【０００８】
この発明による腕用装身具は、人体の腕部に対して着脱が可能なものであって、腕部の外側の面に沿わせて位置させる装飾部と、前記装飾部の一方の端部より腕部の内側へ回り込ませて腕部の内側の面に沿わせるクリップ部とが、線状または帯状の可撓性のある素材により一体に形成されている。前記装飾部の他方の端部とクリップ部の先端部との間には腕部に対する挿脱が可能な開口部が備えられている。前記クリップ部は全長にわたって外側へ膨らむ円弧に形成されるとともに、クリップ部の先端部はクリップ部の前記円弧と逆方向の円弧によって外開き状に形成されている。
【０００９】
この発明による腕用装身具を人体の腕部、例えば手首に装着するには、手首の側面に開口部を向け、その開口部を拡開しつつ開口部へ手首を差し込むだけで、装飾部とクリップ部との間で手首が挟持される。この場合、クリップ部の先端部はクリップ部の円弧と逆方向の円弧によって外開き状に形成されているので、手首を差し込む際、クリップ部の先端部で人体表面が傷付けられることはない。また、装着後はクリップ部の先端部の逆方向の円弧の部分が人体の表面に押し付けられることで、人体の表面が傷付けられることなく脱落が阻止される。また、手首より外すときは、上記した手順と逆の手順となり、開口部を拡開しつつ開口部より手首を脱出させる。
なお、この発明による腕用装身具は、手首以外の腕部に装着することも可能であり、装着部位は手首に限定されない。
【００１０】
この発明の好ましい実施態様においては、前記開口部はその開口幅が装飾部とクリップ部との対向距離の最大値より小さな値である。
この実施態様によると、開口部より人体の手首が差し込まれたとき、クリップ部の先端部が手首に押し付けられて手首が挟持される。
【００１１】
この発明の好ましい実施態様においては、前記装飾部は、前記クリップ部と線対称をなす円弧に形成され、前記装飾部とクリップ部との対向距離の最大値は、その対向距離と直交する方向の距離の最大値より小さな値である。
この実施態様によると、形状全体が楕円状となるので、例えば手首の側面に開口部を向け、その開口部を拡開しつつ開口部へ手首を差し込むだけで、手首の断面形状の楕円と腕用装身具の形状の楕円との長軸、短軸の向きがそれぞれ一致し、装飾部とクリップ部とが手首に嵌合した状態となる。
【００１２】
この発明の上記した構成において、前記装飾部は腕部の外側の面に沿わせるので、装飾部の外側に宝石、真珠、ガラス玉、金属などによる装飾体が取り付けられるが、装飾部自体に意匠が施されていれば、必ずしも装飾体を取り付ける必要はない。
【発明の効果】
【００１３】
この発明によると、手首などの人体の腕部に対する着脱に際し、腕用装身具を回すなどの操作を必要とせず、腕部にクリップ止めする感覚でワンタッチで装着できる従来にない腕用装身具が得られる。
【図面の簡単な説明】
【００１４】
【図１】この発明の一実施例である腕用装身具の斜視図である。
【図２】図１の腕用装身具の正面図である。
【図３】図１の腕用装身具を手首に装着した状態を示す正面図である。
【図４】他の実施例の斜視図である。
【図５】他の実施例の斜視図である。
【図６】他の実施例の正面図である。
【図７】従来のブレスレットを手首に装着した状態を示す正面図である。
【図８】従来のブレスレットを手首に装着する状態を示す正面図である。
【発明を実施するための形態】
【００１５】
図１および図２は、この発明の一実施例である腕用装身具１の外観を示している。
この実施例の腕用装身具１は、主として、人体の手首に装着されるものであるが、手首以外の腕部、例えば上腕部などに装着することも可能である。
【００１６】
この腕用装身具１は、人体の腕部、例えば手首１０に対して着脱が可能であり、可撓性と弾性とを有する帯状の素材により形成される。この素材として、銀、金、ステンレスなどの金属素材が用いられるほか、合成樹脂などを用いることもできる。図示例の腕用装身具１は、手首１０の外側の面１０ａに沿わせて位置させる装飾部２と、前記装飾部２の一方の端部（図中、「２ｂ」で示す。）より手首１０の内側へ回り込ませて手首１０の内側の面１０ｂに沿わせるクリップ部３とが一体に形成されたものである。ここで、手首の内側の面１０ｂとは手のひらの側の面をいい、手首の外側の面１０ａとは手の甲の側の面をいう。装飾部２の他方の端部（以下、「先端部２ａ」という。）とクリップ部３の先端部３ａとの間には手首１０に対する挿脱が可能な開口部４が備えられている。
【００１７】
前記のクリップ部３は、全長にわたって外側へ膨らむ円弧（図中、その円弧の部分を「３１」で示す。）に形成されている。また、前記装飾部２もクリップ部３と線対称をなす円弧（図中、その円弧の部分を「２１」で示す。）に形成されている。したがって、装飾部２とクリップ部３とが連なった全体の形状が楕円状になっており、装飾部２とクリップ部３との対向距離の最大値Ｄ、すなわち、楕円における短軸の長さは、その対向距離と直交する方向の距離の最大値Ｌ、すなわち、楕円における長軸の長さより小さな値である。
【００１８】
クリップ部３の先端部３ａは、クリップ部３の前記した円弧の部分３１の円弧と逆方向の円弧（図中、その円弧の部分を「３２」で示す。）によって外開き状に形成されている。また、装飾部２の先端部２ａも、装飾部２の前記した円弧の部分２１の円弧と逆方向の円弧（図中、その円弧の部分を「２２」で示す。）によって外開き状に形成されている。
前記開口部４の開口幅ｄ、すなわち、装飾部２の先端部２ａの先端とクリップ部３の先端部３ａの先端との距離が装飾部２とクリップ部３との対向距離の最大値Ｄより小さな値である。
【００１９】
この実施例では、装飾部２の外側の中央部に真珠などの装飾体５が取り付けられているが、この装飾体５は必ずしも不可欠な構成ではない。例えば、後述する図６に示す実施例のように、装飾部２を構成している帯状の金属素材に形状、模様、着色などによって優美な意匠を施してもよい。
【００２０】
また、この実施例の装飾部２およびクリップ部３は、一定幅の帯状の金属素材をほぼ全長にわたって円弧状に曲げて一連、一体に形成されているが、例えば、図４に示す実施例のように、帯状の金属素材の幅をデザイン的に変化させるようにしてもよい。さらに、図５に示す実施例のように、帯状の金属素材に代えて線状の金属素材を用いて形成することもできる。
なお、図３および図４の各実施例のおいても、その正面形状は図１，２の実施例と同じ円弧状に湾曲させた形状であり、ここでは対応する構成に同一の符号を付することで説明を省略する。
【００２１】
図６は、この発明のさらに他の実施例を示している。この実施例のクリップ部３は、上記の各実施例と同様、全長にわたって外側へ膨らむ円弧に形成されるとともに、先端部３ａにクリップ部３の円弧の部分３１の円弧と逆方向の円弧の部分３２を備えているが、装飾部２の方は真っ直ぐな板状体であり、その先端部２ａには前記の実施例の円弧の部分２２に相当する構成はない。また、この実施例においては、装飾部２はデザインされた欧文字を立体的に表すことにより装飾部２自体に意匠が施されている。
【００２２】
上記した構成の腕用装身具を人体の腕部、例えば手首に装着するには、図２に示すように、手首１０の側面１０ｃに開口部４を向け、その開口部４を拡開しつつ開口部４へ手首１０を差し込むだけで、図３に示すように、装飾部２とクリップ部３との間で手首が挟持され、腕用装身具１の脱落が阻止される。また、腕用装身具１の形状全体が楕円状であるので、開口部４へ手首１０を差し込むだけで、手首１０の断面形状の楕円と腕用装身具１の形状の楕円との長軸、短軸の向きがそれぞれ一致し、装飾部２とクリップ部３とが手首１０に嵌合した状態となる。なお、装飾部２やクリップ部３が弾性を有する素材で形成されていれば、拡開による変形は弾性復元力によって元の形に戻るが、弾性がなく可撓性のみを有する素材で形成されていれば、拡開による変形は人手によって元の形に戻す。
【００２３】
また、クリップ部３の先端部３ａはクリップ部３の円弧の部分３１の円弧と逆方向の円弧の部分３２によって外開き状に形成されており、さらに、装飾部２の先端部２ａも装飾部２の円弧の部分２１の円弧と逆方向の円弧の部分２２によって外開き状に形成されているので、開口部４へ手首１０を差し込む際、クリップ部３の先端部３ａおよび装飾部２の先端部２ａによって人体の表面が傷付けられることはない。
【００２４】
装着後は、クリップ部３の先端部３ａの円弧の部分３２および装飾部２の先端部２ａの円弧の部分２２が人体の表面に押し付けられることで、人体の表面が傷付けられることなく脱落が阻止される。また、手首１０より外すときは、上記した手順と逆の手順となり、開口部４を拡開しつつ開口部４より手首１０を脱出させる。
【００２５】
図６に示す実施例では、開口部４へ手首１０を差し込む際、クリップ部３の先端部３ａはクリップ部３のクリップ部３の円弧の部分３１の円弧と逆方向の円弧の部分３２によって外開き状に形成されているので、クリップ部３の先端部３ａによって人体表面が傷付けられることはない。また、装着後はクリップ部３の先端部３ａの円弧の部分３２が人体表面に押し付けられることで、人体の表面が傷付けられることなく脱落が阻止される。また、手首１０より外すときは、上記した手順と逆の手順となり、開口部４を拡開しつつ開口部４より手首１０を脱出させる。
【符号の説明】
【００２６】
１    腕用装身具
２    装飾部
３    クリップ部
４    開口部
５    装飾体
【図１】
2015198690.tif 000003
【図２】
2015198690.tif 000004
【図３】
2015198690.tif 000005
【図４】
2015198690.tif 000006
【図５】
2015198690.tif 000007
【図６】
2015198690.tif 000008
【図７】
2015198690.tif 000009
【図８】
2015198690.tif 000010